(57)【要約】【課題】処分場を建設する場合に、処分場内空寸法を従来の形式に比して縮減でき、同一容量の処分場を建設する場合に、掘削や埋め戻しの土砂扱い量・コンクリート・鉄筋などの建設資材の量を、従来形式に比して縮減でき、また、用地面積も縮減される廃棄物処分場が得られる。【解決手段】鉄筋コンクリート製外周側壁１による掘り込み式廃棄物処分場において、上面に係止凹部７を設けたコンクリートブラケット６を前記外周側壁１に形成し、このコンクリートブラケット６に、端部の鍵部９を係止させて鋼製枠組みのハンガータイプの通路ブロック８を着脱自在に架設した。【選択図】  図２
2011251251.tif 000002
【特許請求の範囲】
【請求項１】
鉄筋コンクリート製外周側壁による掘り込み式廃棄物処分場において、上面に係止凹部を設けたコンクリートブラケットを前記外周側壁に形成し、このコンクリートブラケットに、端部の鍵部を係止させて鋼製枠組みのハンガータイプの通路ブロックを着脱自在に架設し、該通路ブロック間に覆工板を取り外し可能に敷設したことを特徴とする廃棄物処分場の連絡通路。
【請求項２】
（Ａ）鉄筋コンクリート製外周側壁による掘り込み式廃棄物処分場の外周側壁の埋立空間側の側面の所定位置にブラケットを適宜間隔で設ける工程と、
（Ｂ）前記処分場の埋立部にアプローチするためハンガータイプの鋼製枠組みの通路ブロックを前記ブラケットに嵌め込み、前記外周側壁に設けた通路ブロックの間に覆工板を架設して連続した通路を形成する工程と、
（Ｃ）廃棄処分場内の埋立高さの上昇に応じて埋立に支障となる通路を撤去する工程
とからなることを特徴とする廃棄物処分場の連絡通路およびその構築方法。
【発明の詳細な説明】
【技術分野】
【０００１】
本発明は、鉄筋コンクリート造の掘り込み式廃棄物処分場において、廃棄物の運搬車両・埋立作業関連重機・人などの通路として使用する連絡通路の構築方法に関するものである。
【背景技術】
【０００２】
掘り込み式・鉄筋コンクリート造の廃棄物処分場は、図１１に示すように、鉄筋コンクリート壁による外周側壁１を構築し、その内側を廃棄処分される廃棄物で埋め立てる。
【０００３】
そして、外周側壁１の内側には廃棄物の運搬車両・埋立作業関連の重機・人などの通路として使用する連絡通路２が構築されるが、この連絡通路２はコンクリート製通路として、前記外周側壁１の内側に通路を保持するためのコンクリート壁３を構築し、両壁１，３間を中詰土砂または砕石４で埋め立てることで形成される。
【０００４】
前記連絡通路２は斜路として形成されるもので、内側のコンクリート壁３の高さを徐々に変化させることにより、連絡通路２（斜路）面の高さを場外に地盤面高さ（ＧＬ±０ｍ）から、処分場底面５（図示の場合は（ＧＬ−１５．００ｍ）まで遷移させて、地上と底面５との連絡通路を形成する。
【０００５】
このようにして外周側壁１の凹所内に廃棄処分される廃棄物は、地面上から前記凹所内に対し前記連絡通路２の走行面を通って出入りする車両により、上記凹所内に搬送される。
【０００６】
この凹所内に搬送された廃棄物やその上を被覆する土砂は、地面上から前記凹所内に対し出入りするブルドーザやローラなど重機により敷き均され、かつ、押し固められる。このようにして、廃棄物による凹所の埋立作業が進められる。
【０００７】
また、下記特許文献には、地面に形成された凹所内に廃棄物が廃棄されて、上記凹所内が廃棄物で埋め立てられるようにした廃棄物埋立設備、およびこの設備を用いた廃棄物埋立方法に関するものとして、傾斜道路が、凹所の内底面上に除去可能に積み上げられた複数の軽量ブロックにより形成されたものが示されている。
【特許文献１】特開２００９−２７９５０４号公報
【０００８】
特許文献１の傾斜道路は凹所の内側面のうち、一部内側面とほぼ平行に延びるよう前記凹所の内底面から上方に向かって突出する仕切壁が設けられ、前記一部内側面と仕切壁との間に形成される。
【発明の開示】
【発明が解決しようとする課題】
【０００９】
前記図１１に示した形式の処分場外周に二重の鉄筋コンクリート壁を構築し、両壁間にコンクリート通路（斜路）を構築する方法では、通路（斜路）面より下に埋立できない部分が発生し、これが容量のロスとなってしまう。
【００１０】
また、前記特許文献１についても同様であり、傾斜道路が容量のロスとして存在する。
【００１１】
本発明の目的は前記従来例の不都合を解消し、処分場を建設する場合に、処分場内空寸法を従来の形式に比して縮減でき、同一容量の処分場を建設する場合に、掘削や埋め戻しの土砂扱い量・コンクリート・鉄筋などの建設資材の量を、従来形式に比して縮減でき、また、用地面積も縮減される廃棄物処分場が得られる廃棄物処分場の連絡通路およびその構築方法を提供することにある。
【課題を解決するための手段】
【００１２】
本発明は前記目的を達成するため、廃棄物処分場の連絡通路としては、鉄筋コンクリート製外周側壁による掘り込み式廃棄物処分場において、上面に係止凹部を設けたコンクリートブラケットを前記外周側壁に形成し、このコンクリートブラケットに、端部の鍵部を係止させて鋼製枠組みのハンガータイプの通路ブロックを着脱自在に架設したことを要旨とするものである。
【００１３】
廃棄物処分場の連絡通路の構築方法としては、（Ａ）鉄筋コンクリート製外周側壁による掘り込み式廃棄物処分場の外周側壁の埋立空間側の側面の所定位置にブラケットを適宜間隔で設ける工程と、（Ｂ）前記処分場の埋立部にアプローチするためハンガータイプの鋼製枠組みの通路ブロックを前記ブラケットに嵌め込み、前記外周側壁に設けた通路ブロックの間に覆工板を架設して連続した通路を形成する工程と、（Ｃ）廃棄処分場内の埋立高さの上昇に応じて埋立に支障となる通路を撤去する工程とからなることを要旨とするものである。
【００１４】
本発明によれば、処分場の躯体を構築後に、別途製作した鋼製枠組みの通路ブロックを揚重機によりブラケット上に架設することで、連続した連絡通路（斜路）を形成するもので、廃棄物を積載した車両はこの斜路を自走し、地表より場内の埋立地点まで廃棄物を運搬する。そして、廃棄物は連絡通路（斜路）の下にも埋立処分が可能である。
【００１５】
また、廃棄物処分作業の進捗（埋立地盤面の上昇）に応じて、埋立の支障となった通路ブロックは順次撤去し、この通路ブロックによる連絡通路があった空間にも廃棄物を処分することができる。
【発明の効果】
【００１６】
以上述べたように本発明の廃棄物処分場の連絡通路およびその構築方法は、ブッロク化した着脱式の連絡通路を外周側壁に設置し、これを廃棄物運搬車両・埋立作業関連重機・人などの通路とするもので、処分場を建設する場合に、処分場内空寸法を従来の形式に比して縮減でき、同一容量の処分場を建設する場合に、掘削や埋め戻しの土砂扱い量・コンクリート・鉄筋などの建設資材の量を、従来形式に比して縮減でき、また、用地面積も縮減される廃棄物処分場が得られるものである。
【発明を実施するための最良の形態】
【００１７】
以下、図面について本発明の実施の形態を詳細に説明する。図１は廃棄物処分場の連絡通路の構築方法の第１工程を示す縦断正面図、図２は同上第２工程を示す縦断正面図で、図中１は鉄筋コンクリート製外周側壁による掘り込み式廃棄物処分場の外周側壁で、その内側が廃棄処分される廃棄物で埋め立てる部分となる。
【００１８】
さきに、本発明の廃棄物処分場の連絡通路を説明すると、図２に示すように、外周側壁１のコンクリートブラケット６に対して、外周側壁１の外側から揚重機を使用して着脱するもので、鋼製枠組みのハンガータイプの通路ブロック８とその上に敷設する覆工板１３からなる斜路１５である。（図８参照）覆工板１３に転落防止柵１４を取り付ける。
【００１９】
廃棄物処分場は図７に示すように矩形の場合では、前記斜路１５は外周側壁１の１辺に沿った直線的なものでよいが、図９に示すように廃棄物処分場が円筒形状の貯留槽の場合は螺旋として外周側壁１に沿って旋回するものとなる。
【００２０】
次に、本発明の廃棄物処分場の連絡通路の構築方法について説明する。
【００２１】
図１に示すように、外周側壁１の埋立空間側の側面の所定位置にコンクリートブラケット６を適宜間隔で設ける。
【００２２】
このコンクリートブラケット６は図５、図６に示すよう外周側壁１にこれから張り出すように一体的に形成するもので、水平面とした上面に係止凹部７を設けている。
【００２３】
図中８は形鋼を用いた鋼製枠組みのハンガータイプの通路ブロックで、上梁材８ａと下梁材８ｂとに支柱８ｃを渡し、支柱８ｃ間に斜材８ｄを配設したトラス構造のものである。
【００２４】
通路ブロック８は上梁材８ａの端部を直角に下向きに曲げて鍵部９を形成し、また、下梁材８ｂの端はこの鍵部９よりもさらに横に突き出させて先端が外周側壁１の側面に当接する当接支承部１０として形成する。
【００２５】
前記コンクリートブラケット６に、端部の鍵部９を係止させて通路ブロック８を架設する。通路ブロック８は鍵部９を支点にして、外周側壁１から片持ち状態で支承される。
【００２６】
図３に示すように、適宜間隔で並列する通路ブロック８は水平つなぎ１１で連結するとともに、並列する通路ブロック８上に桁材１２を渡し、平行する桁材１２で支えて通路ブロック８間に覆工板１３を取り外し可能に敷設する。
【００２７】
このようにして、処分場の躯体である外周側壁１を構築後に、別途製作した通路ブロック８を揚重機によりコンクリートブラケット６に架設することで、通路ブロック８と覆工板１３により連続した斜路１５を連絡通路として形成する。
【００２８】
図中１４は、覆工板１３から立ち上げた転落防止柵である。
【００２９】
廃棄物を積載した車両はこの斜路１５を自走し、地表より場内の埋立地点まで廃棄物を運搬する。廃棄物は斜路１５の下にも埋立処分が可能である。
【００３０】
廃棄物処分作業の進捗（埋立地盤面の上昇）に応じて、埋立の支障となった通路ブロック８は順次撤去し、この通路ブロック８のあった空間にも廃棄物を処分する。
【００３１】
撤去した通路ブロック８および覆工板１３の部材を鋼材として回収し、有価物として処分あるいは再利用する。
【図面の簡単な説明】
【００３２】
【図１】本発明の廃棄物処分場の連絡通路の構築方法の第１工程を示す縦断正面図である。
【図２】本発明の廃棄物処分場の連絡通路の構築方法の第２工程を示す縦断正面図である。
【図３】本発明の廃棄物処分場の連絡通路およびその構築方法の１実施形態を示す平面図である。
【図４】本発明の廃棄物処分場の連絡通路の１実施形態を示す拡大縦断正面図である。
【図５】コンクリートブラケットの側面図である。
【図６】コンクリートブラケットの平面図である。
【図７】廃棄物処分場が矩形の場合の平面図である。
【図８】図７のＡ−Ａ線断面図である。
【図９】廃棄物処分場が円形の場合の平面図である。
【図１０】廃棄物処分場が円形の場合の縦断側面図である。
【図１１】従来例を示す縦断正面図である。
【符号の説明】
【００３３】
１…外周側壁                      ２…連絡通路
３…コンクリート壁                ４…砕石
５…底面                          ６…コンクリートブラケット
７…係止凹部                      ８…通路ブロック
８ａ…上梁材                      ８ｂ…下梁材
８ｃ…支柱                        ８ｄ…斜材
９…鍵部                          １０…当接支承部
１１…水平つなぎ                  １２…桁材
１３…覆工板                      １４…転落防止柵
１５…斜路
【図１】
2011251251.tif 000003
【図２】
2011251251.tif 000004
【図３】
2011251251.tif 000005
【図４】
2011251251.tif 000006
【図５】
2011251251.tif 000007
【図６】
2011251251.tif 000008
【図７】
2011251251.tif 000009
【図８】
2011251251.tif 000010
【図９】
2011251251.tif 000011
【図１０】
2011251251.tif 000012
【図１１】
2011251251.tif 000013